【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  哺乳動物の非関節性軟骨組織における欠損位置を修復するための組成物であって、該組成物は、該欠損位置に提供し、それにより機能的置換軟骨組織の形成を誘導するために適した、生体適合性で、生体再吸収性のキャリア中の骨形成タンパク質を含む、組成物。
【請求項２】  前記欠損位置が線維軟骨組織に存在する、請求項１に記載の組成物。
【請求項３】  前記欠損位置が咽頭に存在する、請求項１に記載の組成物。
【請求項４】  前記欠損位置が気管に存在する、請求項１に記載の組成物。
【請求項５】  前記欠損位置が椎間円板に存在する、請求項１に記載の組成物。
【請求項６】  前記欠損位置が半月板に存在する、請求項１に記載の組成物。
【請求項７】  前記欠損位置が耳、鼻、または肋骨に存在する、請求項１に記載の組成物。
【請求項８】  前記キャリアが自己組織または同種異系組織を含む、請求項１に記載の組成物。
【請求項９】  前記キャリアが失活した同種異系軟骨組織を含む、請求項８に記載の組成物。
【請求項１０】  前記欠損位置が咽頭に存在する、請求項９に記載の組成物。
【請求項１１】  前記欠損位置が気管に存在する、請求項９に記載の組成物。
【請求項１２】  前記欠損位置が椎間円板に存在する、請求項９に記載の組成物。
【請求項１３】  前記欠損位置が関節半月板に存在する、請求項９に記載の組成物。
【請求項１４】  前記キャリアがコラーゲンを含む、請求項１に記載の組成物。
【請求項１５】  前記欠損位置が咽頭に存在する、請求項１４に記載の組成物。
【請求項１６】  前記欠損位置が気管に存在する、請求項１４に記載の組成物。
【請求項１７】  前記欠損位置が椎間円板に存在する、請求項１４に記載の組成物。
【請求項１８】  前記欠損位置が半月板に存在する、請求項１４に記載の組成物。
【請求項１９】  前記キャリアがカルボキシメチルセルロースを含む、請求項１に記載の組成物。
【請求項２０】  前記キャリアが、同種異系血液または自己血液をさらに含む、請求項１９に記載の組成物。
【請求項２１】  前記欠損位置が咽頭に存在する、請求項１９に記載の組成物。
【請求項２２】  前記欠損位置が気管に存在する、請求項１９に記載の組成物。
【請求項２３】  前記欠損位置が椎間円板に存在する、請求項１９に記載の組成物。
【請求項２４】  前記欠損位置が半月板に存在する、請求項１９に記載の組成物。
【請求項２５】  請求項１に記載の組成物であって、前記キャリアが、ヒドロキシアパタイト；アルキルセルロース；ポロキサマー；ゼラチン；ポリエチレングリコール；デキストリン；植物油；ならびに乳酸、酪酸、グリコール酸のポリマー、およびそれらの組み合わせからなる群より選択される１つ以上のメンバーを含む、組成物。
【請求項２６】  前記骨形成タンパク質がＯＰ−１である、請求項１に記載の組成物。
【請求項２７】  請求項１に記載の組成物であって、前記骨形成タンパク質が、ＯＰ−２、ＯＰ−３、ＢＭＰ−２、ＢＭＰ−３、ＢＭＰ−４、ＢＭＰ−５；ＢＭＰ−６、ＢＭＰ−９、ＢＭＰ−１０、ＢＭＰ−１１、ＢＭＰ−１２、ＢＭＰ−１３、ＢＭＰ−１４、ＢＭＰ−１５、ＢＭＰ−３ｂ、ＤＰＰ、Ｖｇ−１、Ｖｇｒ−１、６０Ａプロテイン、ＧＤＦ−１、ＧＤＦ−２、ＧＤＦ−３、ＧＤＦ−５、ＧＤＦ−６、ＧＤＦ−７、ＧＤＦ−８、ＧＤＦ−９、ＧＤＦ−１０、およびＧＤＦ−１１からなる群より選択される、組成物。
【請求項２８】  請求項１に記載の組成物であって、前記骨形成タンパク質が、ヒトＯＰ−１の、保存された７システインドメインを含む、Ｃ末端の１０２〜１０６個のアミノ酸に対して少なくとも７０％の相同性を有するアミノ酸配列を含む、組成物。
【請求項２９】  請求項１に記載の組成物であって、前記骨形成タンパク質が、ＯＰＸ（配列番号３）、一般配列６（配列番号４）、一般配列７（配列番号５）、一般配列８（配列番号６）、または一般配列９（配列番号７）によって規定されるアミノ酸配列を含む、組成物。
【請求項３０】  前記欠損位置が咽頭に存在する、請求項２６に記載の組成物。
【請求項３１】  前記欠損位置が気管に存在する、請求項２６に記載の組成物。
【請求項３２】  前記欠損位置が椎間円板に存在する、請求項２６に記載の組成物。
【請求項３３】  前記欠損位置が半月板に存在する、請求項２６に記載の組成物。
【請求項３４】  前記骨形成タンパク質および前記キャリアが、非関節性軟骨組織の軟骨膜の下に移植される、請求項１に記載の組成物。
【請求項３５】  哺乳動物の非関節性軟骨組織における欠損を修復するための移植可能デバイスであって、該デバイスが失活した軟骨中に配置された骨形成タンパク質を含む、移植可能デバイス。
【請求項３６】  前記軟骨が自己軟骨または同種異系軟骨である、請求項３５に記載のデバイス。
【請求項３７】  前記骨形成タンパク質がＯＰ−１である、請求項３５に記載のデバイス。
【請求項３８】  前記軟骨が同種異系軟骨である、請求項３７に記載のデバイス。
【請求項３９】  請求項３５に記載のデバイスであって、前記骨形成タンパク質は、ＯＰＸ（配列番号３）、一般配列６（配列番号４）、一般配列７（配列番号５）、一般配列８（配列番号６）、または一般配列９（配列番号７）により規定されたアミノ酸配列を含む、デバイス。
【請求項４０】  哺乳動物の非関節性軟骨組織における欠損を修復するための移植可能デバイスであって、該デバイスが、コラーゲンキャリア中に配置された骨形成タンパク質を含む、移植可能デバイス。
【請求項４１】  前記骨形成タンパク質がＯＰ−１である、請求項４０に記載のデバイス。
【請求項４２】  請求項４０に記載のデバイスであって、前記骨形成タンパク質が、ＯＰＸ（配列番号３）、一般配列６（配列番号４）、一般配列７（配列番号５）、一般配列８（配列番号６）、または一般配列９（配列番号７）により規定されたアミノ酸配列を含む、デバイス。
【請求項４３】  哺乳動物の非関節性軟骨組織における欠損を修復するための移植可能デバイスであって、該デバイスは、カルボキシメチルセルロースキャリア中に配置された骨形成タンパク質を含む、移植可能デバイス。
【請求項４４】  前記骨形成タンパク質がＯＰ−１である、請求項４３に記載のデバイス。
【請求項４５】  請求項４３に記載のデバイスであって、前記骨形成タンパク質が、ＯＰＸ（配列番号３）、一般配列６（配列番号４）、一般配列７（配列番号５）、一般配列８（配列番号６）、または一般配列９（配列番号７）により規定されたアミノ酸配列を含む、デバイス。
【請求項４６】  前記キャリアが、同種異系血液または自己血液をさらに含む、請求項４３に記載のデバイス。
【請求項４７】  哺乳動物の非軟骨性欠損位置における軟骨形成を促進するための組成物であって、該組成物は、該欠損位置に提供するために適した、失活した軟骨キャリア中の骨形成タンパク質を含み、ここで、該軟骨キャリアが該欠損位置に適合するように形づくられている、組成物。
【請求項４８】  前記軟骨キャリアが軟骨同種移植片である、請求項４７に記載の組成物。
【請求項４９】  請求項４７に記載の組成物であって、前記骨形成タンパク質が、ヒトＯＰ−１の、保存された７システインドメインを含む、Ｃ末端の１０２〜１０６個のアミノ酸に対して少なくとも７０％の相同性を有するアミノ酸配列を含む、組成物。
【請求項５０】  前記骨形成タンパク質がヒトＯＰ−１である、請求項４９に記載の組成物。
【請求項５１】  哺乳動物の靱帯における欠損位置を修復するための組成物であって、該組成物は、該欠損位置に提供し、それにより機能的置換靱帯組織の形成を誘導するために適した、生体適合性で、生体再吸収性のキャリア中の骨形成タンパク質を含み、ここで、該骨形成タンパク質が、ＢＭＰ−１２でもＢＭＰ−１３でもなく、そして該欠損位置が骨格関節ではない、組成物。
【請求項５２】  前記欠損位置が咽頭に存在する、請求項５１に記載の組成物。
【請求項５３】  前記キャリアが軟骨を含む、請求項５１に記載の組成物。
【請求項５４】  前記キャリアがカルボキシメチルセルロースを含む、請求項５１に記載の組成物。
【請求項５５】  前記キャリアがコラーゲンを含む、請求項５１に記載の組成物。
【請求項５６】  前記骨形成タンパク質がＯＰ−１である、請求項５１に記載の組成物。